(57)【要約】【課題】折損電柱の仮復旧作業で、地際残存部の孔部に補強管を挿入し、該補強管に折損地上部を固定する際に、補強管とこれに固定された折損地上部が傾斜するのを防止して、通行人、近隣者の不安を取り除くと共に、近隣の景観への影響にも配慮し、更に作業の安全を向上させる。【解決手段】折損電柱１１の地際残存部１２の孔部１３内に補強管１４を挿入し、孔部１３と補強管１４との隙間１５のうち折損架電柱１１の傾倒しやすい側に、該隙間１５内に装着したときに鉛直方向に沿って延びる支持面２を有するスペーサ１を差し込んで、スペーサ１の支持面２を補強管１４に当接させた後、補強管１４に折損電柱１１の折損地上部１６を固定し、孔部１３と補強管１４の隙間１５のうちスペーサ１が差し込まれた残余の隙間１５に、補強管１４を囲むように複数のスペーサ１を差し込み、これらのスペーサ１の支持面２で補強管１４を支持する。【選択図】図１０
2009293274.tif 000002
【特許請求の範囲】
【請求項１】
鉛直方向に沿って延び且つ地上側に開口した孔部を有する折損架線柱の地際残存部と、前記孔部内に挿入可能な外径寸法を有すると共に折損架線柱の折損地上部が固定される補強管とに対し、前記孔部の内側面と前記補強管の外側面との隙間に介在される固形体状のもので、
前記隙間内に装着したときに鉛直方向に沿って延びる支持面を有し、この支持面が前記補強管の側面と当接して支持することにより、前記補強管の長手方向を鉛直方向に沿った状態にすることを特徴とする折損架線柱の仮復旧用スペーサ。
【請求項２】
前記支持面と対峙する傾斜面は、前記隙間に差し込んだ際に、前記孔部の最深部側では最も前記支持面に近接し、前記孔部の開口側では前記孔部の内側面と前記補強管の外側面との隙間の寸法と同じか当該隙間の寸法よりも大きな幅で前記支持面から離れていることを特徴とする請求項１に記載の折損架線柱の仮復旧用スペーサ。
【請求項３】
前記支持面と前記傾斜面とを連接する連接面は、前記隙間に差し込んだ際に前記孔部の開口側となる部位において係合手段が装着されていることを特徴とする請求項２に記載の折損架線柱の仮復旧用スペーサ。
【請求項４】
鉛直方向に沿って延び且つ地上側に開口した孔部を有する地際残存部と、この地際残存部より軸方向に沿って上部側のもので、前記地際残存部の位置から折損により移動し、傾斜した折損地上部と、前記孔部内に挿入可能な外径寸法を有すると共に前記折損地上部が固定される補強管と、前記孔部の内側面と前記補強管の外側面との隙間に介在されたときに鉛直方向に沿って延びる支持面を有する複数のスペーサとを用いて、前記折損地上部を引き起して鉛直方向に沿って延びた状態とする折損架線柱の仮復旧方法であって、
前記地際残存部の孔部内に前記補強管を挿入する工程と、前記孔部の内側面と前記補強管の外側面との隙間のうち前記折損地上部を前記補強管側に引き寄せ、引き起こす時に当該補強管が傾倒しやすい側に一のスペーサを差し込み、当該一のスペーサの支持面を前記補強管の外側面に当接させる工程との後に、前記補強管に前記折損地上部を固定する工程と、前記孔部の内側面と前記補強管の外側面との隙間のうち前記一のスペーサが差し込まれた以外の箇所で当該一のスペーサとの均衡が取れる位置に他のスペーサを差し込み、この他のスペーサの支持面を前記補強管の外側面に当接させる工程とを経ることで、前記一のスペーサの支持面と前記他のスペーサの支持面とで前記折損地上部を鉛直方向に沿って延びた状態とに支持することを特徴とする折損架線柱の仮復旧方法。
【請求項５】
鉛直方向に沿って延び且つ地上側に開口した孔部を有する地際残存部と、この地際残存部より軸方向に沿って上部側のもので、前記地際残存部の位置から折損により移動し、傾斜した折損地上部と、前記孔部内に挿入可能な外径寸法を有すると共に前記折損地上部が固定される補強管と、前記孔部の内側面と前記補強管の外側面との隙間に介在されたときに鉛直方向に沿って延びる支持面を有する複数のスペーサとを有して構成された折損架線柱の仮復旧体であって、
前記地際残存部の孔部内に前記補強管が挿入され、これにより前記孔部の内側面と前記補強管の外側面とに生じた隙間に、前記折損地上部を前記補強管側に引き寄せ、引き起こす時に当該補強管が傾倒しやすい側に一のスペーサが差し込まれていると共に、前記一のスペーサが差し込まれた以外の箇所で当該一のスペーサとの均衡が取れる位置に他のスペーサが差し込まれ、更に、前記補強管に前記折損地上部が固定されており、前記一及び他のスペーサの支持面により前記折損地上部を鉛直方向に沿って延びた状態となるように支持されていることを特徴とする折損架線柱の仮復旧体。
【発明の詳細な説明】
【技術分野】
【０００１】
この発明は、電柱等の地面から立設した架線柱が車両の追突等の人的事故や地震等の天変地異によって根元付近である地際において折損した場合に、この折損した架線柱を仮復旧するために用いられるスペーサとこのスペーサを利用した折損架線柱の仮復旧方法、並びにこの仮復旧方法で組み付けられた折損架線柱の仮復旧体に関する。
【背景技術】
【０００２】
電柱が車両の追突等によりその根元付近である地際において折損した場合の仮復旧装置及び仮復旧方法としては、例えば、特許文献１に示される折損電柱仮支持方法及び仮支柱や、特許文献２に示される折損電柱の仮復旧装置及び折損電柱の仮復旧方法が既に公知となっている。
【０００３】
かかる特許文献１及び特許文献２に示される仮支柱及び折損電柱の仮復旧装置は、折損電柱の地中から地表にかけて残存、露出した地際残存部の円形孔内に当該円形孔の内径寸法よりも小さな外径寸法の補強管（特許文献１の「仮支柱」及び特許文献２の「支柱」と同義。）を挿入し、この補強管に折損電柱の折損により前記地際残存部から移動した折損地上部を固定する構成となっている。
【特許文献１】特開平６−３２３０４０号公報
【特許文献２】特開２００７−３１９５４号公報
【発明の開示】
【発明が解決しようとする課題】
【０００４】
もっとも、折損電柱の地際残存部の円形孔の内径寸法と補強管の外径寸法とに所定寸法（電柱の種別にも拠るがおよそ５ｃｍ前後）の差異があるので、折損電柱の折損地上部を引き起こして補強管に固定した場合に、補強官が折損電柱の地際残存部の円形孔との隙間により傾斜してしまい、これに伴い、電柱の折損地上部の基部を始点として鉛直方向に沿った基準線を採った場合に、折損電柱の折損地上部の頂上部分はその長手方向に沿った寸法に応じてこの基準線に対しさらに大きく傾斜する。
【０００５】
折損電柱の折損地上部の頂上部分がこのように傾斜しても折損電柱の折損地上部及びこれが固定された補強管が傾倒しないように処置されているものの、この仮復旧後の折損電柱を見た通行人や近隣者はこのような折損電柱の折損地上部が傾斜した状態に不安を感じてしまい、当該仮復旧状態の折損電柱の傾倒のおそれを本願出願人等に通報して来ることがあるので、通報者等の不安を取り除くために折損電柱に対し改めて復旧作業を行う等の事態を招いていた。また、かかる折損地上部の頂上部分が大きく傾斜した状態の仮復旧電柱は近隣の景観を損ねることにもなりかねない。更に、折損架線柱の仮復旧作業中に補強管ひいては折損地上部が傾倒する危険も回避する必要がある。
【０００６】
そこで、本発明は、折損架線柱の仮復旧にあたり、地際残存部の円形孔に補強管を装着し、該補強管に折損電柱の折損地上部を固定する際に、補強管ひいてはこれに固定された折損地上部が大きく傾斜するのを防止して、通行人、近隣者の不安を予め取り除き、近隣の景観に与える影響にも配慮し、更に折損架線柱の復旧作業の安全の向上を図った折損架線柱の仮復旧用スペーサ及びこのスペーサを用いた折損架線柱の仮復旧方法、並びに折損架線柱の仮復旧体を提供することを目的とする。
【課題を解決するための手段】
【０００７】
この発明に係る折損架線柱の仮復旧用スペーサは、鉛直方向に沿って延び且つ地上側に開口した孔部を有する折損架線柱の地際残存部と、前記孔部内に挿入可能な外径寸法を有すると共に折損架線柱の折損地上部が固定される補強管とに対し、前記孔部の内側面と前記補強管の外側面との隙間に介在される固形体状のもので、前記隙間内に装着したときに鉛直方向に沿って延びる支持面を有し、この支持面が前記補強管の側面と当接して支持することにより、前記補強管の長手方向を鉛直方向に沿った状態にすることを特徴としている（請求項１）。
【０００８】
そして、この発明に係る折損架線柱の仮復旧方法は、鉛直方向に沿って延び且つ地上側に開口した孔部を有する地際残存部と、この地際残存部より軸方向に沿って上部側のもので、前記地際残存部の位置から折損により移動し、傾斜した折損地上部と、前記孔部内に挿入可能な外径寸法を有すると共に前記折損地上部が固定される補強管と、前記孔部の内側面と前記補強管の外側面との隙間に介在されたときに鉛直方向に沿って延びる支持面を有する複数のスペーサとを用いて、前記折損地上部を引き起して鉛直方向に沿って延びた状態とする折損架線柱の仮復旧方法であって、前記地際残存部の孔部内に前記補強管を挿入する工程と、前記孔部の内側面と前記補強管の外側面との隙間のうち前記折損地上部を前記補強管側に引き寄せる時に当該補強管が傾倒しやすい側に一のスペーサを差し込み、当該一のスペーサの支持面を前記補強管の外側面に当接させる工程との後に、前記補強管に前記折損地上部を固定する工程と、前記孔部の内側面と前記補強管の外側面との隙間のうち前記一のスペーサが差し込まれた以外の箇所で当該一のスペーサとの均衡が取れる位置に他のスペーサを差し込み、この他のスペーサの支持面を前記補強管の外側面に当接させる工程とを経ることで、前記一のスペーサの支持面と前記他のスペーサの支持面とで前記折損地上部を鉛直方向に沿って延びた状態とに支持することを特徴としている（請求項４）。
【０００９】
この折損架線柱の仮復旧方法により組み付けられた折損架線柱の仮復旧体は、鉛直方向に沿って延び且つ地上側に開口した孔部を有する地際残存部と、この地際残存部より軸方向に沿って上部側のもので、前記地際残存部の位置から折損により移動し、傾斜した折損地上部と、前記孔部内に挿入可能な外径寸法を有すると共に前記折損地上部が固定される補強管と、前記孔部の内側面と前記補強管の外側面との隙間に介在されたときに鉛直方向に沿って延びる支持面を有する複数のスペーサとを有して構成された折損架線柱の仮復旧体であって、前記地際残存部の孔部内に前記補強管が挿入され、これにより前記孔部の内側面と前記補強管の外側面とに生じた隙間に、前記折損地上部を前記補強管側に引き寄せる時に当該補強管が傾倒しやすい側に一のスペーサが差し込まれていると共に、前記一のスペーサが差し込まれた以外の箇所で当該一のスペーサとの均衡が取れる位置に他のスペーサが差し込まれ、更に、前記補強管に前記折損地上部が固定されており、前記一及び他のスペーサの支持面により前記折損地上部を鉛直方向に沿って延びた状態となるように支持されていることを特徴としたものとなる（請求項５）。
【００１０】
ここで、架線柱は、円柱状又は円錐台状を成すもので、例えばコンクリート製の電力供給用の電力柱が挙げられるところ、内部に所定の寸法の空洞があり、架線を空中に渡らせるためのものであれば、鉄道架線柱、通信用の電信柱、通信と電力供給との共用柱等であっても良いものである。また、孔部は、例えば開口側から見て円形状をなしていると共に補強管を挿入した際にその安定を得るのに十分な深度を有している。補強管は孔部の形状に応じた形状、例えば円柱状又は円筒状をなしている。スペーサは、例えば鉄等の金属製のものであり、さらに言えば内部が空洞で密封された箱体形状のもので、軽量化が図られている一方で周囲から押圧にも耐えられる強度も有している。そして、一のスペーサも他のスペーサも同じものであり、他のスペーサの数は１つでも２つ以上であっても良い。
【００１１】
これにより、鉛直方向に沿って延びる補強管に固定される架線柱の折損地上部も鉛直方向に沿って延びる配置構成で仮復旧作業が仕上がり、架線柱の頂上部分が大きく傾斜した状態のままに置かれないので、仮復旧された架線柱の側を通行する通行人や当該架線柱の近隣に住居や店舗、事業所等を有する近隣者に不安を与えることもなくなり、しかも、仮復旧した状態の見映えも相対的に良くなる。また、一のスペーサを折損残存部の孔部の内側面と補強管の外側面との隙間のうち折損地上部の引き起し時に補強管が傾倒しやすい側に差し込むことで、補強管側に向けて折損架線柱の折損地上部を引き起す際に、補強管が折損残存部の孔部の内側面と補強管の外側面との隙間のために傾倒してしまうことを回避することができる。
【００１２】
そして、この発明に係る折損架線柱の仮復旧用スペーサにあっては、前記支持面と対峙する傾斜面は、前記隙間に差し込んだ際に、前記孔部の最深部側では最も前記支持面に近接し、前記孔部の開口側では前記孔部の内側面と前記補強管の外側面との隙間の寸法と同じか当該隙間の寸法よりも大きな幅で前記支持面から離れていることを特徴としている（請求項２）。これにより、スペーサは、その径方向側から見て先細りの略楔型形状となるので、架線柱の地際残存部の孔部内側面とこの孔部内に挿入された補強管の外側面との隙間に、支持面が架線柱の側面と確実に当接するまでスペーサを差し込むことが可能となる。
【００１３】
更に、この発明に係る折損架線柱の仮復旧用スペーサにあっては、前記支持面と前記傾斜面とを連接する連接面は、前記隙間に差し込んだ際に前記孔部の開口側となる部位において係合手段が装着されていることを特徴としている（請求項３）。この係合手段とは、例えばアイボルト等が該当する。これにより、仮復旧用スペーサを隙間から引き抜く場合には、予めスペーサの貫通孔に係合手段を装着し、或いは、引き抜き作業時に係合手段を装着し、かかる係合手段の頭部等の係合部位にフックを引き掛ける等してスペーサを隙間から引き抜くことができる。また、複数の仮復旧用スペーサを差し込んで補強管が鉛直方向になるように調整する場合にも、予めスペーサの貫通孔に係合手段を装着し、或いは、引き抜き作業時に係合手段を装着し、かかる係合手段の頭部等の係合部位にフックを引き掛けて少しだけ引っ張る等してスペーサの差し込まれた深度を浅くして、他のスペーサの差込みの深度との調整を図ることができる。
【発明の効果】
【００１４】
以上のように、本願の発明によれば、鉛直方向に沿って延びる補強管に固定される架線柱の折損地上部も鉛直方向に沿って延びる配置構成で仮復旧作業が仕上がり、架線柱の頂上部分が大きく傾斜した状態のままとはならないので、仮復旧された架線柱の側を通行する通行人や当該架線柱の近隣に住居や店舗、事業所等を有する近隣者に不安を与えることもなくなり、しかも、仮復旧した状態の見映えも相対的に良くなるので近隣に対する景観上の美観を損なうことが少なくなる。
【００１５】
特に、請求項２に記載の発明によれば、隙間の大きさにバラツキがあっても、架線柱の地際残存部の孔部内側面とこの孔部内に挿入された補強管の外側面との隙間に、支持面が架線柱の側面と確実に当接するまでスペーサを差し込むことが可能となるため、スペーサの形態は単一化することができ、しかもスペーサの寸法精度も厳密に採る必要がないので、スペーサの製造コストを抑制することができる。
【００１６】
特に、請求項３に記載の発明によれば、仮復旧用スペーサを隙間から引き抜く作業をするにあたり、予めスペーサの貫通孔に係合手段を装着し、或いは、引き抜き作業時に係合手段を装着しておくことで、かかる係合手段の頭部等の係合部位にフックを引き掛ける等してスペーサを隙間から引き抜くことが可能となる。また、複数の仮復旧用スペーサを差し込んで補強管が鉛直方向になるように調整する作業をするにあたっても、予めスペーサの貫通孔に係合手段を装着し、或いは、引き抜き作業時に係合手段を装着しておくことで、かかる係合手段の頭部等の係合部位にフックを引き掛けて少しだけ引っ張る等してスペーサの差し込まれた深度を適宜に浅くし、他のスペーサの差込みの深度との調整を図ることが可能となる。
【００１７】
特に、請求項４に記載の発明によれば、スペーサを折損残存部の孔部の内側面と補強管の外側面との隙間のうち折損地上部を補強管側に引き寄せる時に補強管が傾倒しやすい側に差し込むことにより、スペーサが補強管の支持手段となって補強管側に向けて折損架線柱の折損地上部を引き起す際に、補強管が折損残存部の孔部の内側面と補強管の外側面との隙間のために傾倒してしまうことを回避することが可能となり、折損架線柱の復旧作業の安全性を向上させることができる。
【発明を実施するための最良の形態】
【００１８】
以下、この発明の実施形態の一例を図面に基づいて説明する。
【００１９】
図１において示されるスペーサ１は、この実施例では、内部が空洞の鉄製のもので、６つの面を有する楔型形状をなしている。すなわち、このスペーサ１は、後述する折損電柱１１のうちの地際残存部１２の孔部１３と補強管１４との隙間１５に差し込んだ際に鉛直方向に沿うかたちで当接する支持面２と、かかる隙間１５に差し込んだ際に孔部１３の内側に進むに従い支持面２側に徐々に近接する傾斜面３と、支持面２と傾斜面３とを連接する１対の連接面４、４と、かかる隙間１５に差し込んだ際に孔部１３の開口側に位置する頂上面５と、頂上面５とは対峙して孔部１３の奥側に位置する底面６とを有して構成されている。
【００２０】
そして、スペーサ１の連接面４、４のうち頂上面５の近傍側において同軸線上の位置に、図１（ａ）に示されるように螺子切りされた通孔７が形成されており、この通孔７に螺合されることにより、アイボルト８がスペーサ１に装着されている。このアイボルト８は、通孔７の内径寸法よりも大きな環状の頭部９、９を有しており、この頭部９は図示しない引上げ装置のフック等を係合させることが可能である。また、スペーサ１の頂上面５は、隙間１５に差し込む際にハンマー等で叩いても支障がないように他の面よりも厚みが大きくなっていることが好適である。更に、スペーサ１の底面６は、この実施例では開口部を蓋体で塞ぐことで構成されている。
【００２１】
そして、このスペーサ１は、図２に示されるように、折損電柱１１の地際残存部１２が有している、上方に向けて開口した孔部１３と補強管１４との隙間１５に介在されて使用されるものであり、これに伴い、スペーサ１は、底面６側の電柱１１の径方向に沿った厚みＷ１が隙間１５よりも小さく、頂上面５側の電柱１１の径方向に沿った厚みＷ２が隙間１５と同じか隙間１５よりも大きくなるように設定されている。
【００２２】
次に、図３から図６を用いて、折損電柱１１の仮復旧の方法の基本的な一例について説明する。まず、図３に示されるように、車両１７が追突することで、地際で折損した折損電柱１１となり、この折損電柱１１は、地際残存部１２と折損地上部１６とが鉄筋１８により辛うじて連結された状態となっているところ、鉄筋１８のうち地際残存部１２の孔部１３の軸方向上方を覆うものを折損地上部１６が落下しない程度に切断、排除し、図４に示されるように、補強管１４をこの地際残存部１２の孔部１３内に挿入する。
【００２３】
この補強管１４は、図２に示されるように、地際残存部１２の孔部１３の内径寸法よりも小さな外径寸法を有する円柱状のもので、その寸法差は電柱の種別にもよるが５ｃｍ程度となっている。そして、補強管１４は、図４から図６に示されるように、電柱当接部材１９、ワイヤ固定部材２０、及びチェーン固定部材２１を有しているもので、ワイヤ固定具２０は、電柱固定用ワイヤ２２の両端が連結されると共にこのワイヤ２２は締め付け工具２３で締め付け可能となっており、チェーン固定部材２１はチェーン２４の両端と連結される。
【００２４】
これにより、図５に示されるように、電柱当接部１９を折損地上部１６側にスライドさせ、更に、折損地上部１６の相対的に上部側に対しワイヤ２２を巻き付けると共に折損地上部１６の相対的に下部側に対してもワイヤ２２を巻き付けて、締め付け工具２３を利用してこれらのワイヤ２２を適宜な強さで締め付ける。これにより、図６に示されるように、折損地上部１６は補強管１４側に近接してゆき、最終的には電柱当接部１９に当接し立設した状態となる。そこで、図６に示されるように、チェーン固定部材２１を利用してチェーン２４を折損地上部１６に巻き付けて固定する。
【実施例１】
【００２５】
次に、上記した図３から図６までの折損電柱１１の仮復旧の方法の過程で図１に示されるスペーサ１を使用する実施例１について、図７から図１０を用いて説明する。
【００２６】
図３に示す車両１７の追突にあたり、図７の白抜き矢印の方向（電線２６の延伸方向に略沿った方向）にて追突した場合には、折損電柱１１の折損地上部１６は、他の健全な電柱２５とアーム２７に設けられた碍子２８を介して電線２６にて連結された状態にあるので、図７に示されるように、その長手方向の基部側では折損電柱１１の地際残存部１２の位置から電線２６の延伸方向に略沿った方向に移動しつつ、その長手方向の先端側では車両の追突による力の方向と電線２６の張力の方向との関係で、例えば図上右斜め上方に傾斜した状態となる。
【００２７】
この場合に、図８（ａ）に示されるように、地際残存部１２の孔部１３の軸方向上方を覆う鉄筋１８を取り除いた後、この孔部１３内に補強管１４を挿入して、前述の図５に示されるようにワイヤ２２で折損地上部１６と連結して、図８（ｂ）に示される矢印の方向に折損地上部１６を引き起こしつつ地際残存部１２側に引き寄せる。このとき、図９に示されるように、前記図８（ｂ）の矢印の方向に折損地上部１６を引き起こす時に補強管１４が傾倒すると判断される側（この場合は、電線２６と直交する側）の隙間１５に、スペーサ１を差し込む。このスペーサ１の差し込み作業は、隙間１５に対し、スペーサ１の底面６側を、支持面２が折損電柱１１の地際残存部１２側に向くように挿入した後、スペーサ１の頂上面５をハンマー等で叩くことにより行われる。ここで、前記図８（ｂ）の矢印の方向に折損地上部１６を引き起し且つ引き寄せると、地損地上部１６と連結された補強管１４は図９（ａ）に示されるように折損地上部１６側からの反発力で孔部１３内において折損地上部１６側に引き寄せられる。
【００２８】
これにより、補強管１４が折損地上部１６の補強管１４側への引き起し・引き寄せにより傾斜し、ひいては補強管１４が倒れて地際残存部１２の孔部１３から誤って抜け落ちるのを抑止することが可能となる。
【００２９】
そして、図９（ｂ）に示される地損地上部１６が幾分引き起こされた状態から更に引き起こして、地損地上部１６をできるだけ鉛直方向に立設した状態とした後、図１０（ａ）に示されるように、隙間１５に対し、支持面２が折損電柱１１の地際残存部１２側に向くように他のスペーサ１、１の底面６側を挿入する。この場合に、他のスペーサ１、１５の差し込み位置や差し込み深度の好適化を図るべく、最初に差し込んだスペーサ１の孔部１３の差し込み深度を、アイボルト８の頭部９に引上げ装置のフック（図示せず）を引き掛けて若干引き上げる等して調整し、これらのスペーサ１の支持面２で支持された折損電柱１１の折損地上部１６が鉛直方向に立設した状態のまま保持されるようにする。
【００３０】
最後に、図１０並びに前述の図６に示されるように、折損地上部１と補強管１４とをチェーン２４で連結して両者を固定して折損電柱の仮復旧作業が完了する。
【実施例２】
【００３１】
また、上記した図３から図６までの折損電柱１１の仮復旧の方法の過程で図１に示されるスペーサ１を使用する実施例２について、図１１から図１４を用いて説明する。
【００３２】
図３に示す車両１７の追突にあたり、図１１の白抜き矢印の方向（電線２６の延伸方向と略直交する方向）にて追突した場合には、折損電柱１１の折損地上部１６は、他の健全な電柱２５とアーム２７に設けられた碍子２８を介して電線２６にて連結された状態にあるところ、図１１に示されるように、その長手方向の基部側及び先端側の双方において、車両の追突による力の方向と電線２６の張力の方向との関係で、例えば電線２６と直交する方向に傾斜した状態となる。
【００３３】
この場合に、図１２（ａ）に示されるように、地際残存部１２の孔部１３の軸方向上方を覆う鉄筋１８を取り除いた後、この孔部１３内に補強管１４を挿入して、前述の図５に示されるようにワイヤ２２で折損地上部１６と連結して、図１２（ｂ）に示される矢印の方向に折損地上部１６を引き起しつつ地際残存部１２側に引き寄せる。このとき、図１３に示されるように、前記図１２（ｂ）の矢印の方向に折損地上部１６を引き起こす時に補強管１４が傾倒すると判断される側（この場合には電線２６と直交する側）の隙間１５に、スペーサ１を差し込む。このスペーサ１の差し込み作業も、実施例１と同様に、隙間１５に対し、スペーサ１の底面６側を、支持面２が折損電柱１１の地際残存部１２側に向くように挿入した後、スペーサ１の頂上面５をハンマー等で叩くことにより行われる。ここで、前記図１２（ｂ）の矢印の方向に折損地上部１６を引き起し且つ引き寄せると、地損地上部１６と連結された補強管１４は図１３（ａ）に示されるように折損地上部１６側からの反発力で孔部１３内において折損地上部１６側に引き寄せられる。
【００３４】
これにより、実施例２においても、補強管１４が折損地上部１６の補強管１４側への引き起し・引き寄せにより傾斜し、ひいては補強管１４が倒れて地際残存部１２の孔部１３から誤って抜け落ちるのを抑止することが可能となる。
【００３５】
そして、図１３（ｂ）に示される地損地上部１６が幾分引き起こされた状態から更に引き起こして、地損地上部１６をできるだけ鉛直方向に立設した状態とした後、図１４（ａ）に示されるように、隙間１５に対し、支持面２が折損電柱１１の地際残存部１２側に向くように他のスペーサ１、１の底面６側を挿入する。この場合にも、他のスペーサ１、１の差し込み位置や差し込み深度の好適化を図るべく、最初に差し込んだスペーサ１の孔部１３の差し込み深度を、アイボルト８の頭部９に引上げ装置のフック（図示せず）を引き掛けて若干引き上げる等して調整し、これらのスペーサ１の支持面２で支持された折損電柱１１の折損地上部１６が鉛直方向に立設した状態のまま保持されるようにする。
【００３６】
最後に、図１４並びに前述の図６に示されるように、折損地上部１と補強管１４とをチェーン２４で連結して両者を固定して折損電柱の仮復旧作業が完了する。
【図面の簡単な説明】
【００３７】
【図１】図１は、この発明に係るスペーサの構成を示した説明図である。
【図２】図２は、同上のスペーサを架線柱の地際残存部と補強管との隙間に差し込んだ状態を示す説明図である。
【図３】図３は、架線柱に車両が追突して、架設柱が地際で折損した状態を示す説明図である。
【図４】図４は、架線柱の地際残存部の孔部に補強管を差し込んだ状態を示す説明図である。
【図５】図５は、補強管から延ばしたワイヤで地表折損部を補強管側に起こしつつ引き寄せる過程を示す説明図である。
【図６】図６は、補強管と地表折損部とを固定用チェーンで固定する過程を示す説明図である。
【図７】図７は、架線柱に対し略架線の延びる方向に沿って車両が追突した際の架線柱の折損状態を示す説明図である。
【図８】図８（ａ）は、地際残存部の孔部に補強管を挿入した状態を示す平面図であり、図８（ｂ）は、図８（ａ）を移動した地表折損部側から見た状態を示す側面図である。
【図９】図９（ａ）は、地際残存部の孔部と補強管との隙間のうち補強管の倒れやすい方向にスペーサを差し込んで、地表折損部を引き起こす過程を示す平面図であり、図９（ｂ）は、図９（ａ）を移動した地表折損部側から見た状態を示す側面図である。
【図１０】図１０（ａ）は、地際残存部の孔部と補強管との隙間に他のスペーサも差し込んで、地表折損部を鉛直方向に引き起こし、補強管と地表折損部とを固定した状態を示す平面図であり、図１０（ｂ）は、図１０（ａ）を移動した地表折損部側から見た状態を示す側面図である。
【図１１】図１１は、架線柱に対し略架線の延びる方向と略直交する方向で車両が追突した際の架線柱の折損状態を示す説明図である。
【図１２】図１２（ａ）は、地際残存部の孔部に補強管を挿入した状態を示す平面図であり、図１２（ｂ）は、図１２（ａ）を移動した地表折損部と直交する側から見た状態を示す側面図である。
【図１３】図１３（ａ）は、地際残存部の孔部と補強管との隙間のうち補強管の倒れやすい方向にスペーサを差し込んで、地表折損部を引き起こす過程を示す平面図であり、図１３（ｂ）は、図１３（ａ）を移動した地表折損部と直交する側から見た状態を示す側面図である。
【図１４】図１４（ａ）は、地際残存部の孔部と補強管との隙間に他のスペーサも差し込んで、地表折損部を鉛直方向に引き起こし、補強管と地表折損部とを固定した状態を示す平面図であり、図１４（ｂ）は、図１４（ａ）を移動した地表折損部と直交する側から見た状態を示す側面図である。
【符号の説明】
【００３８】
１  スペーサ（折損架線柱用スペーサ）
２  支持面
３  傾斜面
４  連接面
５  頂上面
６  底面
７  通孔
８  アイボルト（係合手段）
１１  折損電柱（折損架線柱）
１２  地際残存部
１３  孔部
１４  補強管
１５  隙間
１６  折損地上部
２６  電線（架線）
【図１】
2009293274.tif 000003
【図２】
2009293274.tif 000004
【図３】
2009293274.tif 000005
【図４】
2009293274.tif 000006
【図５】
2009293274.tif 000007
【図６】
2009293274.tif 000008
【図７】
2009293274.tif 000009
【図８】
2009293274.tif 000010
【図９】
2009293274.tif 000011
【図１０】
2009293274.tif 000012
【図１１】
2009293274.tif 000013
【図１２】
2009293274.tif 000014
【図１３】
2009293274.tif 000015
【図１４】
2009293274.tif 000016